(57)【要約】【課題】ネットワーク監視診断結果を低コストでユーザーにわかりやすく提供すること。【解決手段】本ネットワーク監視システム１０は、ネットワーク監視データを所定時間毎に取得して取得時刻に関連づけて記憶部に保存するネットワーク監視データ収集部３２と、ネットワーク監視データに基づき監視画像を生成する監視画像生成部３４を含み、ネットワーク監視データ収集部３２は、前記ネットワーク監視データとして、ユーザーネットワークと通信可能な所与のネットワーク構成機器やアプリケーションに対するレスポンスタイムを取得し、監視画像生成部３４は、所与の集計期間に収集されたレスポンスタイムをその長さに応じて複数のランクに分類し、所与の集計期間を所与の単位時間毎に分割し、所与の単位時間毎に各ランクに属するレスポンスタイムの割合を求め、所与の集計期間における所与の単位時間毎の各ランクに属するレスポンスタイムの割合の推移をグラフ化したランク別割合推移グラフ画像を生成する。【選択図】図１４
2010041314.tif 000002
【特許請求の範囲】
【請求項１】
ユーザーネットワークに接続され、ユーザーネットワークの状態を監視診断するネットワーク監視システムであって、
ユーザーネットワークの状態を監視して、ネットワーク監視データを所定時間毎に取得して取得時刻に関連づけて記憶部に保存するネットワーク監視データ収集手段と、
ネットワーク監視データに基づき監視画像を生成する監視画像生成手段を含み、
前記ネットワーク監視データ収集手段は、
前記ネットワーク監視データとして、ユーザーネットワークと通信可能な所与のネットワーク構成機器やアプリケーションに対するレスポンスタイムを取得し、  
前記監視画像生成手段は、
所与の集計期間に収集されたレスポンスタイムをその長さに応じて複数のランクに分類し、所与の集計期間を所与の単位時間毎に分割し、所与の単位時間毎に各ランクに属するレスポンスタイムの割合を求め、所与の集計期間における所与の単位時間毎の各ランクに属するレスポンスタイムの割合の推移をグラフ化したランク別割合推移グラフ画像を生成することを特徴とするネットワーク監視システム。
【請求項２】
請求項１において、
前記監視画像生成手段は、
所得したレスポンスタイムをその長さに応じて５段階のランクに分類することを特徴とするネットワーク監視システム。
【請求項３】
請求項１乃至２のいずれかにおいて、
前記監視画像生成手段は、
前記複数のランクの各ランクの範囲を指定するためのランク範囲情報を受けとり、受け取ったランク範囲情報に基づき前記複数のランクの範囲を設定して、設定された範囲に応じてレスポンスタイムを複数のランクに分類することを特徴とするネットワーク監視システム。
【請求項４】
請求項１乃至３のいずれかにおいて、
前記監視画像生成手段は、
前記単位時間の長さを指定するための単位時間情報を受けとり、受け取った単位時間情報に基づき前記所与の単位時間の長さを設定して、所与の集計期間を設定した単位時間毎に分割し、設定した単位時間毎に各ランクに属するレスポンスタイムの割合を求めることを特徴とするネットワーク監視システム。
【請求項５】
請求項１乃至４のいずれかにおいて、
前記ネットワーク監視データ収集手段は、
前記ネットワーク監視データとして、ネットワークに接続されたネットワーク構成機器やネットワークを流れるデータの状態を示すデータを取得し、
前記監視画像生成手段は、
所与の期間におけるネットワーク構成機器やネットワークを流れるデータの状態を示すデータの推移をグラフ化したネットワーク監視データ推移グラフ画像を生成し、
前記所与の集計期間におけるランク別割合推移グラフ画像と、前記所与の集計期間に対応した期間におけるデータ推移グラフ画像を同一画面内で並列して表示する表示制御手段を、含むことを特徴とするネットワーク監視システム。
【請求項６】
請求項５において、
監視対象となり得る複数のネットワーク構成機器について公開されている標準ＭＩＢ情報及びベンダー固有のプライベートＭＩＢ情報が監視項目の監視内容に対応付けて定義されたＭＩＢテンプレート情報を記憶するＭＩＢテンプレート情報記憶手段と、
監視対象となるネットワーク構成機器及びその監視対象とする監視項目の監視内容を指定する監視対象指定情報を受け取り、受け取った監視対象指定情報に基づき監視対象設定情報を生成する監視対象設定手段と、を含み、
前記ネットワーク監視データ収集手段は、
ＭＩＢテンプレート情報及び監視対象設定情報に基づき、問い合わせ情報を生成して、監視対象のネットワーク構成機器に対して問い合わせを行い、ネットワーク監視データを取得することを特徴とするネットワーク監視システム。
【請求項７】
ユーザーネットワークに接続され、ユーザーネットワークの状態を監視診断するネットワーク監視システムであって、
ネットワークに接続されたネットワーク構成機器の状態、ネットワークを流れるデータの状態、ユーザーネットワークと通信可能な所与のネットワーク構成機器やアプリケーションに対するレスポンスタイムの少なくとも１つを示すネットワーク監視データを所定時間毎に取得して記憶部に保存するネットワーク監視データ収集手段と、
監視対象となり得る複数のネットワーク構成機器について公開されている標準ＭＩＢ情報及びベンダー固有のプライベートＭＩＢ情報が監視項目の監視内容に対応付けて定義されたＭＩＢテンプレート情報を記憶するＭＩＢテンプレート情報記憶手段と、
監視対象となるネットワーク構成機器及びその監視対象とする監視項目の監視内容を指定する監視対象指定情報を受け取り、受け取った監視対象指定情報に基づき監視対象設定情報を生成する監視対象設定手段と、を含み、
前記ネットワーク監視データ収集手段は、
ＭＩＢテンプレート情報及び監視対象設定情報に基づき、問い合わせ情報を生成して、監視対象のネットワーク構成機器に対して問い合わせを行い、ネットワーク監視データを取得することを特徴とするネットワーク監視システム。
【請求項８】
ユーザーネットワークに接続され、ユーザーネットワークの状態を監視診断するネットワーク監視システムを制御するプログラムであって、
ユーザーネットワークの状態を監視して、ネットワーク監視データを所定時間毎に取得して取得時刻に関連づけて記憶部に保存するネットワーク監視データ収集手段と、
ネットワーク監視データに基づき監視画像を生成する監視画像生成手段としてコンピュータを機能させ、
前記ネットワーク監視データ収集手段は、
前記ネットワーク監視データとして、ユーザーネットワークと通信可能な所与のネットワーク構成機器やアプリケーションに対するレスポンスタイムを取得し、  
前記監視画像生成手段は、
所与の集計期間に収集されたレスポンスタイムをその長さに応じて複数のランクに分類し、所与の集計期間を所与の単位時間毎に分割し、所与の単位時間毎に各ランクに属するレスポンスタイムの割合を求め、所与の集計期間における所与の単位時間毎の各ランクに属するレスポンスタイムの割合の推移をグラフ化したランク別割合推移グラフ画像を生成することを特徴とするプログラム。
【請求項９】
コンピュータ読み取り可能な情報記憶媒体であって、請求項８に記載のプログラムが記憶されていることを特徴とする情報記憶媒体。
【請求項１０】
ネットワーク監視方法であって、
ユーザーネットワークの状態を監視して、ネットワーク監視データを所定時間毎に取得して取得時刻に関連づけて記憶部に保存するネットワーク監視データ収集ステップと、
ネットワーク監視データに基づき監視画像を生成する監視画像生成ステップとを含み、
前記ネットワーク監視データ収集ステップにおいて、
前記ネットワーク監視データとして、ユーザーネットワークと通信可能な所与のネットワーク構成機器やアプリケーションに対するレスポンスタイムを取得し、  
前記監視画像生成ステップにおいて、
所与の集計期間に収集されたレスポンスタイムをその長さに応じて複数のランクに分類し、所与の集計期間を所与の単位時間毎に分割し、所与の単位時間毎に各ランクに属するレスポンスタイムの割合を求め、所与の集計期間における所与の単位時間毎の各ランクに属するレスポンスタイムの割合の推移をグラフ化したランク別割合推移グラフ画像を生成することを特徴とするネットワーク監視方法。
【発明の詳細な説明】
【技術分野】
【０００１】
本発明は、ネットワーク監視システム、プログラム、情報記憶媒体及びネットワーク監視方法に関する。
【背景技術】
【０００２】
従来、企業等におけるユーザーのＬＡＮやＷＡＮ等のネットワークシステムのネットワーク状態の監視や診断は、例えばネットワーク構築したインテグレータのサービスの一つとして行われたり、ユーザー企業内のシステム関連部署で行われたりしていた。
【０００３】
かかるネットワーク状態の監視や診断はトラブル発生時やスポット対応として行われるケースが大多数であり、継続実施されているケースは少なかった。
【特許文献１】特開２００２−１１１６６５号
【発明の開示】
【発明が解決しようとする課題】
【０００４】
ユーザーネットワークを適切に運用するためには継続的にユーザーネットワーク状態の監視・診断等を行うことが好ましい。しかしネットワーク構築、運用、診断の知識を有する人員を常時確保することやコストが高額になるため継続監視や診断が困難であるという問題点があった。
【０００５】
本発明は、このような点に着目してなされたものであり、その目的はネットワーク監視診断結果を低コストでユーザーにわかりやすく提供出来るネットワーク監視システム、プログラム、情報記憶媒体及びネットワーク監視方法を提供することである。
【課題を解決するための手段】
【０００６】
（１）本発明は、
ユーザーネットワークに接続され、ユーザーネットワークの状態を監視診断するネットワーク監視システムであって、
ユーザーネットワークの状態を監視して、ネットワーク監視データを所定時間毎に取得して取得時刻に関連づけて記憶部に保存するネットワーク監視データ収集手段と、
ネットワーク監視データに基づき監視画像を生成する監視画像生成手段を含み、
前記ネットワーク監視データ収集手段は、
前記ネットワーク監視データとして、ユーザーネットワークと通信可能な所与のネットワーク構成機器やアプリケーションに対するレスポンスタイムを取得し、  
前記監視画像生成手段は、
所与の集計期間に収集されたレスポンスタイムをその長さに応じて複数のランクに分類し、所与の集計期間を所与の単位時間毎に分割し、所与の単位時間毎に各ランクに属するレスポンスタイムの割合を求め、所与の集計期間における所与の単位時間毎の各ランクに属するレスポンスタイムの割合の推移をグラフ化したランク別割合推移グラフ画像を生成することを特徴とする。
（２）このネットワーク監視システムは、
前記監視画像生成手段は、
所得したレスポンスタイムをその長さに応じて５段階のランクに分類してもよい。
（３）このネットワーク監視システムは、
前記監視画像生成手段は、
前記複数のランクの各ランクの範囲を指定するためのランク範囲情報を受けとり、受け取ったランク範囲情報に基づき前記複数のランクの範囲を設定して、設定された範囲に応じてレスポンスタイムを複数のランクに分類してもよい。
（４）このネットワーク監視システムは、
前記監視画像生成手段は、
前記単位時間の長さを指定するための単位時間情報を受けとり、受け取った単位時間情報に基づき前記所与の単位時間の長さを設定して、所与の集計期間を設定した単位時間毎に分割し、設定した単位時間毎に各ランクに属するレスポンスタイムの割合を求めてもよい。
（５）このネットワーク監視システムは、
前記ネットワーク監視データ収集手段は、
前記ネットワーク監視データとして、ネットワークに接続されたネットワーク構成機器やネットワークを流れるデータの状態を示すデータを取得し、
前記監視画像生成手段は、
所与の期間におけるネットワーク構成機器やネットワークを流れるデータの状態を示すデータの推移をグラフ化したネットワーク監視データ推移グラフ画像を生成し、
前記所与の集計期間におけるランク別割合推移グラフ画像と、前記所与の集計期間に対応した期間におけるデータ推移グラフ画像を同一画面内で並列して表示してもよい。
（６）このネットワーク監視システムは、
監視対象となり得る複数のネットワーク構成機器について公開されている標準ＭＩＢ情報及びベンダー固有のプライベートＭＩＢ情報が監視項目の監視内容に対応付けて定義されたＭＩＢテンプレート情報を記憶するＭＩＢテンプレート情報記憶手段と、
監視対象となるネットワーク構成機器及びその監視対象とする監視項目の監視内容を指定する監視対象指定情報を受け取り、受け取った監視対象指定情報に基づき監視対象設定情報を生成する監視対象設定手段と、を含み、
前記ネットワーク監視データ収集手段は、
ＭＩＢテンプレート情報及び監視対象設定情報に基づき、問い合わせ情報を生成して、監視対象のネットワーク構成機器に対して問い合わせを行い、ネットワーク監視データを取得してもよい。
（７）本発明は、
ユーザーネットワークに接続され、ユーザーネットワークの状態を監視診断するネットワーク監視システムであって、
ネットワークに接続されたネットワーク構成機器の状態、ネットワークを流れるデータの状態、ユーザーネットワークと通信可能な所与のネットワーク構成機器やアプリケーションに対するレスポンスタイムの少なくとも１つを示すネットワーク監視データを所定時間毎に取得して記憶部に保存するネットワーク監視データ収集手段と、
監視対象となり得る複数のネットワーク構成機器について公開されている標準ＭＩＢ情報及びベンダー固有のプライベートＭＩＢ情報が監視項目の監視内容に対応付けて定義されたＭＩＢテンプレート情報を記憶するＭＩＢテンプレート情報記憶手段と、
監視対象となるネットワーク構成機器及びその監視対象とする監視項目の監視内容を指定する監視対象指定情報を受け取り、受け取った監視対象指定情報に基づき監視対象設定情報を生成する監視対象設定手段と、を含み、
前記ネットワーク監視データ収集手段は、
ＭＩＢテンプレート情報及び監視対象設定情報に基づき、問い合わせ情報を生成して、監視対象のネットワーク構成機器に対して問い合わせを行い、ネットワーク監視データを取得することを特徴とする。
（８）本発明は、
ユーザーネットワークに接続され、ユーザーネットワークの状態を監視診断するネットワーク監視システムを制御するプログラムであって、
ユーザーネットワークの状態を監視して、ネットワーク監視データを所定時間毎に取得して取得時刻に関連づけて記憶部に保存するネットワーク監視データ収集手段と、
ネットワーク監視データに基づき監視画像を生成する監視画像生成手段としてコンピュータを機能させ、
前記ネットワーク監視データ収集手段は、
前記ネットワーク監視データとして、ユーザーネットワークと通信可能な所与のネットワーク構成機器やアプリケーションに対するレスポンスタイムを取得し、  
前記監視画像生成手段は、
所与の集計期間に収集されたレスポンスタイムをその長さに応じて複数のランクに分類し、所与の集計期間を所与の単位時間毎に分割し、所与の単位時間毎に各ランクに属するレスポンスタイムの割合を求め、所与の集計期間における所与の単位時間毎の各ランクに属するレスポンスタイムの割合の推移をグラフ化したランク別割合推移グラフ画像を生成することを特徴とする。
（９）本発明は、
コンピュータ読み取り可能な情報記憶媒体であって、上記に記載のプログラムが記憶されていることを特徴とする情報記憶媒体である。
（１０）本発明は、
ネットワーク監視方法であって、
ユーザーネットワークの状態を監視して、ネットワーク監視データを所定時間毎に取得して取得時刻に関連づけて記憶部に保存するネットワーク監視データ収集ステップと、
ネットワーク監視データに基づき監視画像を生成する監視画像生成ステップとを含み、
前記ネットワーク監視データ収集ステップにおいて、
前記ネットワーク監視データとして、ユーザーネットワークと通信可能な所与のネットワーク構成機器やアプリケーションに対するレスポンスタイムを取得し、  
前記監視画像生成ステップにおいて、
所与の集計期間に収集されたレスポンスタイムをその長さに応じて複数のランクに分類し、所与の集計期間を所与の単位時間毎に分割し、所与の単位時間毎に各ランクに属するレスポンスタイムの割合を求め、所与の集計期間における所与の単位時間毎の各ランクに属するレスポンスタイムの割合の推移をグラフ化したランク別割合推移グラフ画像を生成することを特徴とする。
【発明を実施するための最良の形態】
【０００７】
１．構成
図１は、本実施の形態のネットワーク監視システムについて説明するための図である。
【０００８】
本実施の形態のネットワーク監視システムは、ネットワーク監視装置１０を含む。ネットワーク監視装置１０は、公衆通信網であるインターネット１１０やユーザーネットワーク１００に接続され、ユーザーネットワークの状態を監視する。
【０００９】
ユーザーネットワーク１００はＬＡＮ（ローカルエリアネットワーク）、ＷＡＮ（ワイドエリアネットワーク）等でもよい。
【００１０】
ネットワーク監視装置１０は例えばスイッチ１４０等に接続され、ユーザーネットワークの性能（パフォーマンス）に関する測定情報（トラフィック、エラー、ＣＰＵ稼働率、ＤＲＡＭ残容量、ＦｉｅｒＷａｌｌアタック、セッション数等）、ユーザーネットワーク構成装置、又はユーザーネットワークに接続されている所与のポートやアプリケーションのレスポンスタイム監視情報（ＩＣＭＰレスポンス監視（ＩＣＭＰ  Ｅｃｈｏを使用した対象機器までのレスポンスタイム測定）、ＴＣＰレスポンス監視（ＨＴＴＰ、ＳＭＴＰ、ＰＯＰ３等のＴＣＰアプリケーション３００のレスポンスタイム測定））、ユーザーネットワーク接続機器やＩ／ＦやＴＣＰのステータス監視情報（ユーザーネットワーク接続機器のＵｐ、Ｄｏｗｎ情報、スイッチ、ルータ等のポート又はインターフェースのＵｐ、Ｄｏｗｎ情報、ＨＴＴＰ、ＳＭＴＰ、ＰＯＰ３等のＴＣＰサービスのＵｐ、Ｄｏｗｎ情報）、測定パケット情報の少なくとも一つを収集する。
【００１１】
ここでユーザーネットワーク構成装置とは、例えばスイッチ１４０やファイヤウォール１３０やルータ１５０やサーバ１６０や端末１７０等である。
【００１２】
例えばネットワーク監視装置１０は、ネットワークの使用率、エラー、ネットワーク構成機器の機器状態（ＣＰＵ、ＤＲＡＭ、ファイヤーウォール等）の経過監視装置として機能するものでもよいし、ネットワーク構成機器のＵｐ、Ｄｏｗｎ検知を行うステータス監視装置として機能するものでもよいし、通信対象までのレスポンスタイムを測定するレスポンスタイム測定装置として機能するものでもよい。
【００１３】
またネットワーク監視装置１０は専用のハードウエアとして提供される場合でもよいし、ソフトウエアとして提供され、汎用コンピュータで本実施の形態のプログラムを実行することにより実現する場合でもよい。
【００１４】
本実施の形態のネットワーク監視装置１０は、Ｗｅｂサーバとして機能する。
ユーザーネットワークに接続された端末１７０やインターネットに接続されたコンピュータ（例えばパーソナルコンピュータＰＣ等）２００は、入力部、制御部、表示部、通信部などを備え、ＷＷＷブラウザがインストールされ、インターネットに接続され、Ｗｅｂページの閲覧が可能なクライアント端末としての機能を有している。
【００１５】
ユーザーネットワークに接続された端末１７０やインターネットに接続されたコンピュータ（例えばＰＣ等）２００は、ＷｅｂブラウザのＵＲＬ欄にネットワーク監視装置１０のアドレス（ＩＰアドレス等）を指定することによりネットワーク監視装置１０が提供するＷｅｂページを参照することが出来る。このＷｅｂページにおいて、図３、４、７〜１１、１３に示すような生成した監視画像の提供や図６（Ａ）（Ｂ）に示す監視画像生成用のパラメータ入力画面や図１５〜１９に示す監視対象設定画面を提供し、入力情報や設定情報を受け取ることが出来る。
【００１６】
図２は本実施の形態のネットワーク監視システムを構成するネットワーク監視装置１０の機能ブロック図の一例である。
【００１７】
ネットワーク監視装置１０は、ホストコンピュータ２２０、データベース２５０を含んで構成してもよい。
【００１８】
ホストコンピュータは２０は、処理部３０と記憶部２２と情報記憶媒体２６と送受信部２４を含んでいる。
【００１９】
送受信部２４は、モデム、ターミナルアダプタ、あるいはルーター等によって構成され、ユーザーネットワーク内の他のネットワーク構成機器やインターネットを介して他のシステムのサーバやアプリケーションやデータベース５０とデータのやり取りをするもので送信機能と受信機能の両方を有するが、送信手段と受信手段とに分散して送受信機能を実現してもよい。
【００２０】
記憶部２２は処理部３０や送受信部２４などのワーク領域となるものでありその機能は例えばＲＡＭ等のハードウエアにより実現される。
【００２１】
処理部３０はネットワーク監視やデータの通信に必要な各種処理（例えば受信した処理要求がどの端末によって送信されたものであるかやどのような要求であるか判別して応答する処理等）を行うもので、その機能は、ハードウェア（ＣＰＵ、ＤＳＰ等のプロセッサ又はゲートアレイ等のＡＳＩＣ）とプログラム（ゲームプログラム、又はファームウェア等）との組み合わせにより実現される。但し、処理部１００の機能の全てを、ハードウェアにより実現してもよいし、その全てをプログラムにより実現してもよい。
【００２２】
情報記憶媒体（コンピュータにより使用可能な記憶媒体）２６は、プログラムやデータなどの情報を格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などのハードウェアにより実現できる。
【００２３】
処理部３０は、この情報記憶媒体２６に格納される情報に基づいて本発明（本実施形態）の種々の処理を行う。即ち情報記憶媒体２６には、本発明（本実施形態）の手段（特に処理部２３０に含まれるブロック）を実行するための情報（プログラム或いはデータ）が格納される。
【００２４】
情報記憶媒体２６は、監視対象となり得る複数のネットワーク構成機器に対して設定されている標準ＭＩＢ情報及びベンダー固有のプライベートＭＩＢ情報を各ネットワーク構成機器に対応付けて記憶させたＭＩＢテンプレート情報を記憶するＭＩＢテンプレート情報記憶手段として機能する。例えばＭＩＢテンプレート情報を情報記憶媒体２６に格納しておいて、必要に応じて読み出して、記憶部２２に記憶され、処理部３０から参照されるようにしてもよい。
【００２５】
処理部３０は、ネットワーク監視データ収集部３２、監視画像生成部３４、Ｗｅｂサーバ処理部３６、監視対象設定部３８を含む。
【００２６】
ネットワーク監視データ収集部３２は、ユーザーネットワークの状態を監視して、ネットワーク監視データを所定時間毎に取得して取得時刻に関連づけて記憶部に保存するネットワーク監視データ収集手段として機能する。
【００２７】
ネットワーク監視データ収集部３２は、ユーザーネットワークに接続されたユーザーネットワーク接続機器や外部のサーバやアプリケーションと通信を行い、ネットワーク情報を収集して、情報記憶部６０に記憶させる処理を行う。
【００２８】
ネットワーク監視データ収集部３２は、レスポンスタイム測定対象（サーバ、端末、ルータ、アプリケーション等）に対しレスポンスタイム測定用のパケットを所定の時間毎（例えば１分毎）毎に繰り返し送信して、レスポンスタイムを測定してもよい。
【００２９】
レスポンス測定対象は、ネットワーク機器（サーバ、端末、ルータ等）でもよいし、ユーザーネットワークと通信可能なアプリケーション（ＩＣＭＰ  Ｅｃｈｏを使用した対象機器、ＨＴＴＰ、ＳＭＴＰ、ＰＯＰ３等のＴＣＰアプリケーション等）でもよい。
【００３０】
監視画像生成部３４は、ネットワーク監視データに基づき監視画像を生成する監視画像生成手段として機能する。
【００３１】
監視画像生成部３４は、所与の集計期間に収集されたレスポンスタイムをその長さに応じて複数のランクに分類し、所与の集計期間を所与の単位時間毎に分割し、所与の単位時間毎に各ランクに属するレスポンスタイムの割合を求め、所与の集計期間における所与の単位時間毎の各ランクに属するレスポンスタイムの割合の推移をグラフ化したランク別割合推移グラフ画像を生成する。
【００３２】
監視画像生成部３４は、所得したレスポンスタイムをその長さに応じて５段階のランクに分類してもよい。
【００３３】
監視画像生成部３４は、前記複数のランクの各ランクの範囲を指定するためのランク範囲情報を受けとり、受け取ったランク範囲情報に基づき前記複数のランクの範囲を設定して、設定された範囲に応じてレスポンスタイムを複数のランクに分類してもよい。
【００３４】
ネットワーク監視システムと通信可能な所与の端末（パーソナルコンピュータ等）に、ネットワークを介して前記複数のランクの各ランクの範囲を指定するためのランク範囲情報を受け付けるランク範囲情報受け付け画面を提供し、ランク範囲情報受け付け画面において入力されたランク範囲情報を受けとるようにしてもよい。
【００３５】
各ランクの範囲は各ランクの上限値、下限値、中心値、代表値等の少なくとも１つによって特定してもよい。
【００３６】
監視画像生成部３４は、前記単位時間の長さを指定するための単位時間情報を受けとり、受け取った単位時間情報に基づき前記所与の単位時間の長さを設定して、所与の集計期間を設定した単位時間毎に分割し、設定した単位時間毎に各ランクに属するレスポンスタイムの割合を求めてもよい。
【００３７】
ネットワーク監視システムと通信可能な所与の端末（パーソナルコンピュータ等）に、ネットワークを介して前記単位時間の長さを指定するための単位時間情報を受け付ける単位時間情報受け付け画面を提供し、単位時間情報情報受け付け画面において入力された単位時間情報を受けとるようにしてもよい。
【００３８】
ネットワーク監視データ部３２は、前記ネットワーク監視データとして、ネットワークに接続されたネットワーク構成機器やネットワークを流れるデータの状態を示すデータを取得し、監視画像生成部３４は、所与の期間におけるネットワーク構成機器やネットワークを流れるデータの状態を示すデータの推移をグラフ化したネットワーク監視データ推移グラフ画像を生成し、前記所与の集計期間におけるランク別割合推移グラフ画像と、前記所与の集計期間に対応した期間におけるデータ推移グラフ画像を同一画面内で並列にして表示してもよい。
【００３９】
ネットワーク構成機器やネットワークを流れるデータの状態を示すデータとは、例えばユーザーネットワークの性能（パフォーマンス）に関する測定情報（トラフィック、エラー、ＣＰＵ稼働率、ＤＲＡＭ残容量、ＦｉｅｒＷａｌｌアタック、セッション数等）、ユーザーネットワーク接続機器やＩ／ＦやＴＣＰのステータス監視情報（ユーザーネットワーク接続機器のＵｐ、Ｄｏｗｎ情報、スイッチ、ルータ等のポート又はインターフェースのＵｐ、Ｄｏｗｎ情報、ＨＴＴＰ、ＳＭＴＰ、ＰＯＰ３等のＴＣＰサービスのＵｐ、Ｄｏｗｎ情報）、測定パケット情報等である。
【００４０】
監視対象設定部３８は、監視対象となるネットワーク構成機器及びその監視対象とする監視項目の監視内容を指定する監視対象指定情報を受け取り、受け取った監視対象指定情報に基づき監視対象設定情報を生成する監視対象設定手段として機能する。
【００４１】
ネットワーク監視データ収集部３２は、ＭＩＢテンプレート情報及び監視対象設定情報に基づき、問い合わせ情報を生成して、監視対象のネットワーク構成機器に対して問い合わせを行い、ネットワーク監視データを取得してもよい。
【００４２】
Ｗｅｂサーバ処理部３６は、Ｗｅｂクライアント（例えば図１の端末１７０やコンピュータ２００）からＷｅｂページ配信要求を受けるとデータベースに記憶されているＷｅｂページを要求元のＷｅｂクライアントにネットワーク介して送信するＷｅｂサーバとして機能する。
【００４３】
例えば図３、４，７〜１１、１３に示す監視画像や図６（Ａ）（Ｂ）に示す監視画像生成用のパラメータ入力画面や図１５〜１９に示す監視対象設定画面をＷｅｂクライアントにネットワーク介して送信するようにしてもよい。
【００４４】
またデータベース５０は、ホストコンピュータ２０とデータの送受信を行う送受信部５２と、Ｗｅｂページ情報６２、ネットワーク監視データ６４、監視対象設定情報６６を利用可能な状態で記憶した情報記憶部２６０とを含んで構成される。
【００４５】
Ｗｅｂページ情報６２は、図６（Ａ）（Ｂ）に示す監視画像生成用のパラメータ入力画面や図１５〜１９に示す監視対象設定画面等、ネットワーク監視システムが提供可能なＷＷｅｂページ情報である。
【００４６】
ネットワーク監視データ６４は、所定時間毎に取得されたネットワーク監視データ（レスポンスデータ等）である。
【００４７】
監視対象設定情報６６は、設定された監視対象に関する情報（監視対象となるネットワーク構成機器及びその監視対象とする監視項目の監視内容の情報）である。
【００４８】
情報記憶部６０は磁気的、光学的記録媒体や半導体メモリ等のＣＰＵで読み取り可能な記憶媒体であり、例えばＲＡＭ、ハードディスク（磁気ディスク）やフレキシブルディスク、ＣＤ−ＲＯＭ等により実現される。
２．監視画像の生成処理
図３は、ＩＣＭＰのレスポンスタイムのグラフである。
【００４９】
本実施の形態では、レスポンスタイム測定対象となるネットワーク構成機器に対して所定時間毎（例えば1分間に1回）に、レスポンスタイム測定用のパケットを送受信してレスポンスタイムを測定してネットワーク監視データとして記憶部に記憶させておく。例えば図２の情報記憶部６０にネットワーク監視データとして、監視対象特定情報（ネットワーク構成機器と監視対象項目を示す識別情報）と取得時刻に関連づけて記憶させてもよい。
【００５０】
そして例えばコンピュータ２００やユーザー端末１７０からＩＣＭＰレスポンスタイムグラフ画像（監視画像の一例）の生成要求があった場合等に、記憶部に記憶されたネットワーク監視データのレスポンスタイムのデータに基づき、所定の期間におけるＩＣＭＰレスポンスタイムの遷移を示すグラフ画像３１０（監視画像の一例）を生成する。生成された画像は要求元のコンピュータ２００やユーザー端末１７０に送信されて、要求元のコンピュータ２００やユーザー端末１７０の表示部に表示される。
【００５１】
レスポンスタイムのグラフは、所与の期間に収集されたレスポンスタイムの推移を折れ線グラフ化したものである。
【００５２】
図４は、ＩＣＭＰのレスポンスタイムのランク別割合推移を示すグラフである。
【００５３】
例えばコンピュータ２００やユーザー端末１７０からレスポンスタイムのランク別割合推移を示すグラフ画像（監視画像の一例）の生成要求があった場合等に、記憶部に記憶されたネットワーク監視データのレスポンスタイムのデータに基づき、所定の期間におけるＩＣＭＰのレスポンスタイムのランク別割合推移を示すグラフ画像３２０（監視画像の一例）を生成する。生成された画像は要求元のコンピュータ２００やユーザー端末１７０に送信されて、要求元のコンピュータ２００やユーザー端末１７０の表示部に表示される。
【００５４】
レスポンスタイムのランク別割合推移を示すグラフは、所与の集計期間に収集されたレスポンスタイムをその長さに応じて複数のランク（図４では５段階）に分類し、所与の集計期間を所与の単位時間毎（図４では３０分間隔）に分割し、所与の単位時間毎に各ランクに属するレスポンスタイムの割合を求め、所与の集計期間における所与の単位時間毎の各ランクに属するレスポンスタイムの割合の推移をグラフ化したものである。
【００５５】
例えば所定時間毎（例えば１分間に１回）で取得される各レスポンスタイムデータ示すレスポンスタイムが０．５ｍｓｅｃ未満の場合ランクＡ、レスポンスタイムが０．５ｍｓｅｃ以上１ｍｓｅｃ未満の場合ランクＢ、レスポンスタイムが１ｍｓｅｃ以上１．５ｍｓｅｃ未満の場合ランクＣ、レスポンスタイムが１．５ｍｓｅｃ以上３ｍｓｅｃ未満の場合ランクＤ、レスポンスタイムが３ｍｓｅｃ以上の場合ランクＥに分類する。
【００５６】
ここで所与の単位期間を３０分として、期間中に１分間に1回総計Ｘａ＋Ｘｂ＋Ｘｃ＋Ｘｄ＋Ｘｅ個のレスポンスタイムを取得して、そのうちランクＡ（ここでは５ｍｓ未満）に属するレスポンスタイムがＸａ個、ランクＢ（ここでは５ｍｓ以上１０ｍｓ未満）に属するレスポンスタイムがＸｂ個、ランクＣ（ここでは１０ｍｓ以上１５ｍｓ未満）に属するレスポンスタイムがＸｃ個、ランクＤ（ここでは１５ｍｓ以上２０ｍｓ未満）に属するレスポンスタイムがＸｄ個、ランクＥ（２０ｍｓ以上）に属するレスポンスタイムがＸｅ個であるとすると、所与の単位時間において各ランクの割合は以下のようになる。
【００５７】
ランクＡのレスポンスタイムの割合Ｗａ＝Ｘａ／Ｘａ＋Ｘｂ＋Ｘｃ＋Ｘｄ＋Ｘｅ
ランクＢのレスポンスタイムの割合Ｗｂ＝Ｘｂ／Ｘａ＋Ｘｂ＋Ｘｃ＋Ｘｄ＋Ｘｅ
ランクＣのレスポンスタイムの割合Ｗｃ＝Ｘｃ／Ｘａ＋Ｘｂ＋Ｘｃ＋Ｘｄ＋Ｘｅ
ランクＤのレスポンスタイムの割合Ｗｄ＝Ｘｄ／Ｘａ＋Ｘｂ＋Ｘｃ＋Ｘｄ＋Ｘｅ
ランクＥのレスポンスタイムの割合Ｗｅ＝Ｘｅ／Ｘａ＋Ｘｂ＋Ｘｃ＋Ｘｄ＋Ｘｅ
例えば図５に示すように所与の単位時間３２０に対応した棒グラフを各ランクのレスポンスタイムの割合に応じて各ランクに対応したエリア（Ａランクのエリア３２１、Ｂランクのエリア３２２、Ｃランクのエリア３２３、Ｄランクのエリア３２４、Ｅランクのエリア３２５）に分割し、各エリアの大きさ（ここではタテ方向の長さ）を各ランクに属するデータの割合に応じて設定する。例えばランクＡＢＣＤＥの大きさをそれぞれ３２１’、３２２’、３２３’、３２４’、３２５’とするとその長さの比を下記のように設定することが出来る。
【００５８】
３２１’、３２２’、３２３’、３２４’、３２５’＝Ｗａ：Ｗｂ：Ｗｃ：Ｗｄ：Ｗｅ
そして各単位時間に対応した棒グラフを所定の期間分横方向に並べて配置することで、図４に示すような割合推移のグラフを得ることができる。
【００５９】
このグラフにより、所与の単位時間あたりの期間のレスポンスの状態がどうだったかを視覚的に分かりやすく表示することができる。
【００６０】
ランクＡが多いときは、サービスレベルが正常な状態であるといえ、ランクＥが多いときは、サービスレベルが低下している状態であるといえる。
【００６１】
ＩＣＭＰのみでなく、ＨＴＴＰ、ＦＴＰ、ＤＮＳなど全てのレスポンス監視結果から割合推移のグラフを表示することが出来る。
【００６２】
図６（Ａ）（Ｂ）はレスポンスタイムのランク別割合推移のグラフを表示する際のパラメータの設定について説明するための図である。
【００６３】
本実施の形態のネットワーク監視システムはＷｅｂサーバとして機能し、ネットワーク監視システムに接続されたコンピュータや端末に対し、ネットワークを介して図６（Ａ）（Ｂ）にしめすような監視画像生成用のパラメータ入力画面を提供する。コンピュータや端末では、汎用的に用意されているＷｅｂブラウザの機能によって監視画像生成用のパラメータ入力画面が表示される。
【００６４】
図６（Ａ）は監視画像生成用のパラメータの１つである分析の種類、単位時間の長さを及び集計期間の範囲の情報入力画面の一例を示す。分析の種類として単位時間分析の指定３４０または期間分析の指定３４２が出来る。また単位時間の長さの設定３４１や集計期間の範囲（開始時期３４３と終了時期３４４）が入力により指定可能となっている。
【００６５】
単位時間分析３４０が指定されると図４に示すような集計期間における単位時間毎の割合推移を示すグラフが表示される。また期間分析３４２が指定されると、図７に示すような集計期間のランク別のデータ割合を示すグラフが表示される。
【００６６】
図６（Ｂ）は監視画像生成用のパラメータの１つであるランク範囲情報入力画面の一例を示す。図６（Ｂ）に示すように、ランク範囲情報入力画面において複数のランクの各ランクの範囲（上限値、下限値、中心値、代表値等）を示す値をランク範囲情報としていけ付けても良い。図８（Ｂ）では、各ランクの上限値３４５、３４６、３４７、３４８が入力により指定可能となっている。なお各ランクの範囲は連続しているので各ランクの下限値は１つ前のランクの上限値に基づき設定される。
【００６７】
図７は、レスポンスタイムの期間分析表示の一例を示す図である。
【００６８】
例えば図６（Ａ）において、期間分析が選択されると、図７に示すように、集計期間内の各ランクに属するレスポンスタイムの割合の示すグラフ（ここでは円グラフ）が表示される。例えば期間中に１分間に1回を取得して、そのうちランクＡ（ここでは５ｍｓ未満）に属するレスポンスタイムがＸａ’個、ランクＢ（ここでは５ｍｓ以上１０ｍｓ未満）に属するレスポンスタイムがＸｂ’個、ランクＣ（ここでは１０ｍｓ以上１５ｍｓ未満）に属するレスポンスタイムがＸｃ’個、ランクＤ（ここでは１５ｍｓ以上２０ｍｓ未満）に属するレスポンスタイムがＸｄ’個、ランクＥ（２０ｍｓ以上）に属するレスポンスタイムがＸｅ’個であるとすると、集計期間における各ランクのレスポンスタイムの割合は以下のようになる。
【００６９】
ランクＡのレスポンスタイムの割合Ｗａ’＝Ｘａ’／Ｘａ’＋Ｘｂ’＋Ｘｃ’＋Ｘｄ’＋Ｘｅ’
ランクＢのレスポンスタイムの割合Ｗｂ’＝Ｘａ’／Ｘａ’＋Ｘｂ’＋Ｘｃ’＋Ｘｄ’＋Ｘｅ’
ランクＣのレスポンスタイムの割合Ｗｃ’＝Ｘａ’／Ｘａ’＋Ｘｂ’＋Ｘｃ’＋Ｘｄ’＋Ｘｅ’
ランクＤのレスポンスタイムの割合Ｗｄ’＝Ｘａ’／Ｘａ’＋Ｘｂ’＋Ｘｃ’＋Ｘｄ’＋Ｘｅ’
ランクＥのレスポンスタイムの割合Ｗｅ’＝Ｘａ’／Ｘａ’＋Ｘｂ’＋Ｘｃ’＋Ｘｄ’＋Ｘｅ’
円グラフの各ランクの割合を示す領域（ランクＡの割合を示す領域３５１、ランクＢの割合を示す領域３５２、ランクＣの割合を示す領域３５３、ランクＤの割合を示す領域３５４、ランクＥの割合を示す領域３５５）の面積比又は中心角の比はＷａ’：Ｗｂ’：Ｗｃ’：Ｗｄ’：Ｗｅ’とすることができる。
【００７０】
単位時間分析を行うに当たり、単位時間は図６（Ａ）に示すようにユーザーの入力により設定変更可能である。
【００７１】
図９は所定期間３６０におけるＩＣＭＰレスポンスタイムグラフ３６２である。また図８は所定期間３６０に対応した集計期間３７０において単位時間３７４を３０分としたＩＣＭＰレスポンスタイムの割合推移を示すグラフ３７２である。また図１０は所定期間３６０に対応した集計期間３７０において単位時間３７６を６時間としたＩＣＭＰレスポンスタイムの割合推移を示すグラフ３７６である。また図１１は所定期間３６０に対応した集計期間３７０において単位時間３８２を１日としたＩＣＭＰレスポンスタイムの割合推移を示すグラフである。
【００７２】
図８に示す単位時間３０分間隔で分析したグラフ３７２では、細かなサービスレベルの変化がわかり。単位時間を短くし分析することによりサービスレベルが正常かどうかを見ることが出来る。
【００７３】
また図１０に示す単位時間６時間間隔で分析したグラフ３７６では変化の度合いは小さくなる。図１１に示す単位時間１日間隔で分析したグラフ３８０では変化はさらに平坦になる。単位時間１日間隔のグラフ３８０（図１１参照）と単位時間３０分間隔のグラフ３７２（図８参照）と比較すると、７／３０の部分で、単位時間３０分間隔のグラフ３７２（図８参照）だとランクＡがありませんが、単位時間１日間隔のグラフ３８０（図１１参照）では１６%ほどあることがわかる。このように単位時間を長くすることＰでサービスレベルの変化の傾向を見ることが出来る。
【００７４】
図１２はレスポンスタイムグラフとレスポンスタイムのランク別の割合推移を示すグラフの特徴について説明する図である。
【００７５】
４１０は所定期間のレスポンスタイムグラフであり、４２０は所定期間に対応した集計期間のレスポンスタイムの割合推移を示すグラフである。いずれも所定期間に1分間隔で計測されたレスポンスデータ（記憶部に記憶されている）に基づき生成されたグラフである。
【００７６】
所定期間のレスポンスタイムグラフ４１０は折れ線グラフであるため、４３０、４３４に示すように瞬間的な増減の変化のみが目立ち、実際のレスポンスがどうなっているのか判別が困難である。レスポンスタイムグラフ４１０の所定区間４３０、４３４に対応する区間４３２、４３８のレスポンスタイムの割合推移を示すグラフ４２０によると、区間４３２ではランクＢのデータの割合がおおく、数時間にわたって1回のアクセス時間が２５msec〜５０msecも遅くなっていることがわかる。このようにレスポンスタイムの割合推移を示すグラフによれば中長期のレスポンスの傾向をグラフから一目で把握することが出来る。
【００７７】
図１３は、本実施の形態の監視グラフの表示制御の一例について説明するための図である。
【００７８】
例えば記所与の集計期間におけるレスポンスタイムのランク別の割合推移を示すグラフ４５０と前記所与の集計期間に対応した期間における監視項目に対応したグラフ（例えばレスポンスタイムグラフ４５２やトラフィックのグラフ４５４）を同一画面内で並列して表示するようにしてもよい。
【００７９】
このようにすると例えばトラフィックの増加により、ＩＣＭＰレスポンスタイムに遅延が発生していることが分かるので、ネットワークの分析診断に便利である。
【００８０】
図１４は、レスポンスタイムの監視制御の流れについて説明するフローチャート図である。
【００８１】
ユーザーネットワークと通信可能な所与のネットワーク構成機器やアプリケーションに対して、レスポンスタイム測定用のパケットを所定時間毎に繰り返し送信して、レスポンスタイムを測定して取得し、ネットワーク監視データ（レスポンスタイムデータ）として取得時刻に関連づけて記憶部に記憶させる（ステップＳ１０）
ネットワークを介して、ランク別割合推移グラフ画像の生成要求（ランク別レスポンスタイムの割合推移のランク範囲情報、単位時間情報、集計期間情報の指定を含む）を受け取ると（ステップＳ２０）、以下の処理を行う。
【００８２】
受け取った集計期間情報に基づき記憶部から集計期間内のレスポンスタイムデータを抽出する（ステップＳ３０）。
【００８３】
次に受け取ったランク範囲情報に基づき抽出したレスポンスタイムデータの示すレスポンスタイムの属するランクを決定する（ステップＳ４０）。
【００８４】
次に受け取った単位時間情報に基づき抽出したレスポンスタイムデータを単位時間毎に分け、各単位時間毎に各ランクに属するレスポンスタイムデータの数を求め、求めた数から各ランクに属するレスポンスタイムの割合を演算する（ステップＳ５０）。
【００８５】
そして演算された各単位時間毎の各ランクに属するレスポンスタイムの割合に基づき、レスポンスタイムのランク別割合推移のグラフ画像を生成する（ステップＳ６０）。
３．ＭＩＢテンプレート情報を用いたネットワーク監視データ収集処理
図１５は、ＭＩＢテンプレート情報について説明するための図である。
【００８６】
ＭＩＢ（Management Information Base）情報とは、ＳＮＭＰで管理されるネットワーク構成機器が、自分の状態を外部に知らせるために公開する情報のことであり、ネットワーク構成機器に対して設定されている所定の監視項目の問い合わせに必要なオブジェクト情報（ＯＩＤ）等を含む。
【００８７】
ＳＮＭＰ（Simple Network Management Protocol）とは、ＴＣＰ／ＩＰネットワークにおいて、ルータやコンピュータ、端末など、ネットワークに接続された通信機器をネットワーク経由で監視・制御するためのプロトコルである。制御の対象となる機器はＭＩＢと呼ばれる管理情報データベースを持っており、管理を行なう機器は対象機器のＭＩＢに基づいて適切な設定を行なう。
【００８８】
ＭＩＢテンプレート情報５００は、監視対象となり得る複数のネットワーク構成機器について公開されているオブジェクトＩＤ（ＯＩＤ）５１４を監視項目５１０の監視内容５１２に対応付けて定義したものである。
【００８９】
図１６はＭＩＢテンプレート情報を用いたネットワーク監視データ収集処理の流れをしめすフローチャートである。図１７〜図２１は監視対象設定画面の一例である。
【００９０】
監視対象とするネットワーク構成機器の特定情報（ＩＰアドレス等）を受け取る（ステップＳ１１０）。例えば図１７に示すような監視対象ネットワーク構成機器特定情報入力画面をネットワークを介して端末やコンピュータに提供し、監視対象とするネットワーク構成機器の特定情報（ＩＰアドレス等）を受け取ってもよい。
【００９１】
次に受け取ったネットワーク構成機器の特定情報（ＩＰアドレス等）に基づき、ネットワーク構成機器にプライベートＭＩＢ情報を有するか否かにつての問い合わせを行う。（ステップＳ１２０）
次に監視対象となるネットワーク構成機器の一覧表示情報を提供する（ステップＳ１３０）。例えば図１８に示すような監視対象となるネットワーク構成機器一覧情報をネットワークを介して端末やコンピュータに提供してもよい。また図１９や図２０に示すようなベンダＭＩＢ設定一覧や標準ＭＩＢ設定一覧を提供ネットワークを介して端末やコンピュータに提供してもよい。監視対象とするネットワーク構成機器の特定情報（ＩＰアドレス等）による問い合わせによって機器を自動判別して、プライベートＭＩＢ情報を有する場合にはＭＩＢテンプレート情報５００に基づき適切なベンダーＭＩＢを表示する。
【００９２】
次に監視項目の監視内容情報を受け取る（ステップＳ１４０）。例えば図２１に示すような監視項目設定画面をネットワークを介して端末やコンピュータに提供し、監視項目の監視内容情報を受けとても良い。
【００９３】
次に監視対象となるネットワーク構成機器及びその監視対象とする監視項目の監視内容に基づき監視対象設定情報を生成する（ステップＳ１５０）。
【００９４】
そしてＭＩＢテンプレート情報及び監視対象設定情報に基づき、監視対象のネットワーク構成機器に対して、監視対象とする監視項目の監視内容についての問い合わせを行い、ネットワーク監視データを取得する（ステップＳ１６０）。ＭＩＢテンプレート情報５００を参照して監視対象設定情報によって特定される監視対象とする監視項目５１０の監視内容５１２に対応したＯＩＤ５１４を得ることが出来る。監視対象のネットワーク構成機器のＩＰアドレスと、得られたＯＩＤ５１４によって監視対象のネットワーク構成機器に対して監視対象とする監視項目の監視内容についての問い合わせを行うことが出来る。
【００９５】
以上本発明を適用した好適な実施の形態について説明してきたが、本発明の適用は上述した実施例に限定されない。
【００９６】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【００９７】
本実施の形態では、ネットワーク監視装置の機能を単体の装置で実現する場合を例にとり説明したがこれに限られない。複数の装置で分散して実現（複数の装置が接続されたシステムとして実現）する場合でもよい。
【００９８】
また本発明のネットワーク監視装置は、本発明の機能を実現するための専用のハードウエアを搭載することで実現する場合でもよいし、本発明の機能を実現するためのプログラムを汎用コンピュータに搭載して実現する場合でもよい。
【図面の簡単な説明】
【００９９】
【図１】本実施の形態のネットワーク監視システムについて説明するための図。
【図２】本実施の形態のネットワーク監視システムを構成するネットワーク監視装置の機能ブロック図の一例。
【図３】ＩＣＭＰのレスポンスタイムのグラフ。
【図４】ＩＣＭＰのレスポンスタイムのランク別割合推移を示すグラフ。
【図５】所与の単位時間に対応した棒グラフ。
【図６】図６（Ａ）（Ｂ）に示す監視画像生成用のパラメータ入力画面の一例。
【図７】集計期間のランク別のデータ割合を示すグラフ。
【図８】単位時間を３０分としたＩＣＭＰレスポンスタイムの割合推移を示すグラフ。
【図９】ICMPレスポンスタイムグラフ。
【図１０】単位時間を６時間としたＩＣＭＰレスポンスタイムの割合推移を示すグラフ。
【図１１】単位時間を１日としたＩＣＭＰレスポンスタイムの割合推移を示すグラフ。
【図１２】レスポンスタイムグラフとレスポンスタイムのランク別の割合推移を示すグラフの特徴について説明する図。
【図１３】本実施の形態の監視グラフの表示制御の一例について説明するための図。
【図１４】レスポンスタイムの監視制御の流れについて説明するフローチャート図。
【図１５】ＭＩＢテンプレート情報について説明するための図。
【図１６】ＭＩＢテンプレート情報を用いたネットワーク監視データ収集処理の流れをしめすフローチャート。
【図１７】監視対象設定画面の一例。
【図１８】監視対象設定画面の一例。
【図１９】監視対象設定画面の一例。
【図２０】監視対象設定画面の一例。
【図２１】監視対象設定画面の一例。
【符号の説明】
【０１００】
１０  ネットワーク監視装置（ネットワーク監視システム）、２０  ホストコンピュータ、２２  記憶部、２４  送受信部、３０  処理部、３２  ネットワーク監視データ収集部、３４  監視画像生成部、３６  Ｗｅｂサーバ処理部、３８  監視対象設定部、２６  情報記憶媒体、５０  データベース、６０  情報記憶部、６２  Ｗｅｂページ情報、６４  ネットワーク監視データ、６６  監視対象設定情報
【図１】
2010041314.tif 000003
【図２】
2010041314.tif 000004
【図５】
2010041314.tif 000005
【図１４】
2010041314.tif 000006
【図１５】
2010041314.tif 000007
【図１６】
2010041314.tif 000008
【図３】
2010041314.tif 000009
【図４】
2010041314.tif 000010
【図６】
2010041314.tif 000011
【図７】
2010041314.tif 000012
【図８】
2010041314.tif 000013
【図９】
2010041314.tif 000014
【図１０】
2010041314.tif 000015
【図１１】
2010041314.tif 000016
【図１２】
2010041314.tif 000017
【図１３】
2010041314.tif 000018
【図１７】
2010041314.tif 000019
【図１８】
2010041314.tif 000020
【図１９】
2010041314.tif 000021
【図２０】
2010041314.tif 000022
【図２１】
2010041314.tif 000023